【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
本体部分と、
該本体部分に含まれるディスプレイであって、ユーザインタフェース情報を表示するディスプレイと、
モジュールプレートを含む少なくとも１つのポンプモジュールであって、該モジュールプレートは、複数のボルトを介して該少なくとも１つのポンプモジュールを積み重ね可能に、かつ、取り外し可能に該本体部分に固定するように構成されており、該複数のボルトは、該モジュールプレートの開孔部を介して該本体部分の底面の開孔部に延びており、該少なくとも１つのポンプモジュールは、チューブ上に配置されたスライドクランプを受け取るように構成された鍵付きスロットを含み、該スライドクランプは、該チューブが適切な方向で該少なくとも１つのポンプモジュールの中にロードされることを保証するために、指定された方向でのみ該鍵付きスロットにフィットし、該ポンプモジュールは、該チューブにポンプ作用を発生させる手段を有する、少なくとも１つのポンプモジュールと、
該ポンプモジュールに含まれる補助ディスプレイであって、補助ユーザインタフェース情報を表示する補助ディスプレイと、
該本体部分に含まれるマイクロプロセッサ手段であって、該ディスプレイ領域の上にユーザインタフェース情報を生成するマイクロプロセッサ手段と、
複数の絵のグラフィック表現をユーザインタフェース情報として該主ディスプレイ上に生成する手段と
を備え、
ユーザが複数セットの初期設定パラメータのうちのどれを用いて注入ポンプを構成するかを選択することができるように、該複数セットの初期設定パラメータがユーザインタフェース情報として含まれている、注入ポンプ。
【請求項２】
前記ディスプレイが、状況領域とプロンプト領域とソフトキーラベル領域とを含み、前記注入ポンプが、該ソフトキーラベル領域に隣接して含まれる複数のソフトキーをさらに含む、請求項１に記載の注入ポンプ。
【請求項３】
患者に注入される利益のある薬剤に関連した値を入力する手段と、該入力された値に応答して、該患者に注入される利益のある薬剤の用量を計算する手段とをさらに含む、請求項１に記載の注入ポンプ。
【請求項４】
患者に注入される利益のある薬剤に関連した値を入力する手段と、該入力された値に応答して、該利益のある薬剤の注入プロファイルを計算する手段とをさらに含み、計算された注入プロファイルのグラフィック表現がユーザインタフェース情報として含まれ、該グラフィック表現は残りの注入量を含む、請求項１に記載の注入ポンプ。
【請求項５】
前記チューブに対する制限を検知する手段をさらに含み、該チューブが制限される度合いのグラフィック表現がユーザインタフェース情報として含まれる、請求項１に記載の注入ポンプ。
【請求項６】
前記マイクロプロセッサ手段と前記ディスプレイと前記ポンプ作用を発生させる手段とに電力を供給するバッテリーと、該バッテリーの電荷を検出する手段とをさらに含み、該バッテリーの電荷のグラフィック表現がユーザインタフェース情報として含まれる、請求項１に記載の注入ポンプ。
【請求項７】
前記チューブ内に空気が存在することを検知する手段をさらに含み、該チューブ内に空気が存在することのグラフィック表現がユーザインタフェース情報として含まれる、請求項１に記載の注入ポンプ。
【請求項８】
さらに、少なくとも２つのポンプモジュールが提供され、前記ディスプレイが該少なくとも２つのポンプモジュールについてのユーザインタフェース情報を含む、請求項１に記載の注入ポンプ。
【請求項９】
前記マイクロプロセッサ手段が、特定の患者に関連したユーザインタフェース情報を格納する手段をさらに含む、請求項１に記載の注入ポンプ。
【請求項１０】
特定の患者について格納されたユーザインタフェース情報をクリアする手段をさらに含む、請求項９に記載の注入ポンプ。
【請求項１１】
前記ユーザは、利益のある薬剤濃度と、用量値と、用量速度とからなる群から選択される２つの値を入力する、請求項３に記載の注入ポンプ。
【請求項１２】
前記計算手段は、ユーザの利益がある薬剤に関する入力値に基づいて利益のある薬剤濃度を計算する、請求項１１に記載の注入ポンプ。
【請求項１３】
前記ユーザの利益がある薬剤に関する値は、利益がある薬剤の量および希釈用量を含む、請求項１２に記載の注入ポンプ。
【請求項１４】
前記ユーザが入力する値が患者の体重を含む、請求項３に記載の注入ポンプ。
【請求項１５】
本体部分と、
該本体部分に含まれるディスプレイと、
モジュールプレートを含む少なくとも１つのポンプモジュールであって、該モジュールプレートは、複数のボルトを介して該少なくとも１つのポンプモジュールを積み重ね可能に、かつ、取り外し可能に該本体部分に固定するように構成されており、該複数のボルトは、該モジュールプレートの開孔部を介して該本体部分の底面の開孔部に延びており、該少なくとも１つのポンプモジュールは、チューブ上に配置されたスライドクランプを受け取るように構成された鍵付きスロットを含み、該スライドクランプは、該チューブが適切な方向で該少なくとも１つのポンプモジュールの中にロードされることを保証するために、指定された方向でのみ該鍵付きスロットにフィットし、該ポンプモジュールは、該チューブにポンプ作用を発生させる手段を有する、少なくとも１つのポンプモジュールと、
該ディスプレイの上にユーザインタフェース情報を生成するマイクロプロセッサ手段と、
患者に注入される利益のある薬剤に関連した値を入力する手段と、
該入力された値に応答して、該利益のある薬剤の注入プロファイルを計算する手段と
を備え、
計算された注入プロファイルの絵のグラフィック表現がユーザインタフェース情報として含まれ、該絵のグラフィック表現は残りの注入量を含む、注入ポンプ。
【請求項１６】
前記注入プロファイルが、上昇傾斜注入期間と下降傾斜注入期間とを含む、請求項１５に記載の注入ポンプ。
【請求項１７】
前記グラフィック表現が、上昇傾斜注入のグラフィック表現と下降傾斜注入のグラフィック表現とを含む、請求項１５に記載の注入ポンプ。
【請求項１８】
前記チューブに対する制限を検知する手段をさらに含み、該チューブが制限される度合いのグラフィック表現がユーザインタフェース情報として含まれる、請求項１５に記載の注入ポンプ。
【請求項１９】
前記マイクロプロセッサ手段と前記ディスプレイと前記ポンプ作用を発生させる手段とに電力を供給するバッテリーと、該バッテリーの電荷を検出する手段とをさらに含み、該バッテリーの電荷のグラフィック表現がユーザインタフェース情報として含まれる、請求項１５に記載の注入ポンプ。
【請求項２０】
前記チューブ内に空気が存在することを検知する手段をさらに含み、該チューブ内に空気が存在することのグラフィック表現がユーザインタフェース情報として含まれる、請求項１５に記載の注入ポンプ。
【請求項２１】
さらに、少なくとも２つのポンプモジュールが提供され、前記ディスプレイが該少なくとも２つのポンプモジュールについてのユーザインタフェース情報を含む、請求項１５に記載の注入ポンプ。
【請求項２２】
前記マイクロプロセッサ手段が、特定の患者に関連したユーザインタフェース情報を格納する手段をさらに含む、請求項１５に記載の注入ポンプ。
【請求項２３】
特定の患者について格納されたユーザインタフェース情報をクリアする手段をさらに含む、請求項２２に記載の注入ポンプ。
【請求項２４】
本体部分と、
該本体部分に含まれるディスプレイと、
モジュールプレートを含む少なくとも１つのポンプモジュールであって、該モジュールプレートは、複数のボルトを介して該少なくとも１つのポンプモジュールを積み重ね可能に、かつ、取り外し可能に該本体部分に固定するように構成されており、該複数のボルトは、該モジュールプレートの開孔部を介して該本体部分の底面の開孔部に延びており、該少なくとも１つのポンプモジュールは、チューブ上に配置されたスライドクランプを受け取るように構成された鍵付きスロットを含み、該スライドクランプは、該チューブが適切な方向で該少なくとも１つのポンプモジュールの中にロードされることを保証するために、指定された方向でのみ該鍵付きスロットにフィットし、該ポンプモジュールは、該チューブにポンプ作用を発生させる手段を有する、少なくとも１つのポンプモジュールと、
該ディスプレイの上にユーザインタフェース情報を生成するマイクロプロセッサ手段と、
該チューブに対する制限を検知する手段と
を備え、
該チューブが制限される度合いの絵のグラフィック表現が該ディスプレイ上に表示されたユーザインタフェース情報として含まれる、注入ポンプ。
【請求項２５】
前記少なくとも１つのポンプモジュールは、補助ユーザインタフェース情報を表示する補助ディスプレイを含む、請求項２４に記載の注入ポンプ。
【請求項２６】
複数セットの初期設定パラメータがユーザインタフェース情報として含まれる、請求項２４に記載の注入ポンプ。
【請求項２７】
前記ディスプレイが、状況領域とプロンプト領域とソフトキーラベル領域とを含み、前記注入ポンプが、該ソフトキーラベル領域に隣接して含まれる複数のソフトキーをさらに含む、請求項２４に記載の注入ポンプ。
【請求項２８】
患者に注入される利益のある薬剤に関連した値を入力する手段と、該入力された値に応答して、該患者に注入される利益のある薬剤の用量を計算する手段とをさらに含む、請求項２４に記載の注入ポンプ。
【請求項２９】
患者に注入される利益のある薬剤に関連した値を入力する手段と、該入力された値に応答して、該利益のある薬剤の注入プロファイルを計算する手段とをさらに含み、該計算された注入プロファイルのグラフィック表現がユーザインタフェース情報として含まれ、該グラフィック表現は残りの注入量を含む、請求項２４に記載の注入ポンプ。
【請求項３０】
前記マイクロプロセッサ手段と前記ディスプレイと前記ポンプ作用を発生させる手段とに電力を供給するバッテリーと、該バッテリーの電荷を検出する手段とをさらに含み、該バッテリーの電荷のグラフィック表現がユーザインタフェース情報として含まれる、請求項２４に記載の注入ポンプ。
【請求項３１】
前記チューブ内に空気が存在することを検知する手段をさらに含み、該チューブ内に空気が存在することのグラフィック表現がユーザインタフェース情報として含まれる、請求項２４に記載の注入ポンプ。
【請求項３２】
さらに、少なくとも２つのポンプモジュールが提供され、前記ディスプレイが該少なくとも２つのポンプモジュールについてのユーザインタフェース情報を含む、請求項２４に記載の注入ポンプ。
【請求項３３】
前記マイクロプロセッサ手段が、特定の患者に関連したユーザインタフェース情報を格納する手段をさらに含む、請求項２４に記載の注入ポンプ。
【請求項３４】
特定の患者について格納されたユーザインタフェース情報をクリアする手段をさらに含む、請求項３３に記載の注入ポンプ。